(57)【要約】【課題】  信号レベルの大小にかかわらず、当該信号レベルを適切に表示する。【解決手段】  音声信号の信号レベルを検出すると共に、信号レベルの検出感度を可変するマイコン１０と、マイコン１０によって検出された信号レベルに応じてメータ表示する表示部１１とを備え、マイコン１０は、信号レベルが第１閾値を第１所定時間継続して越えた場合に、前記検出感度を低下させる共に、音声信号の信号レベルが前記第１閾値よりも低い第２閾値を第２所定時間継続して下回った場合に、前記検出感度を向上させる。【選択図】      図３
2005243055.tif 000002
【特許請求の範囲】
【請求項１】
音声信号に対して音響処理を行う音響装置において、
前記音声信号の信号レベルを検出するレベル検出手段と、
前記レベル検出手段による信号レベルの検出感度を可変する検出感度調整手段と、
前記レベル検出手段によって検出された信号レベルに応じてメータ表示する表示手段とを備え、
前記検出感度調整手段は、
前記音声信号の信号レベルが第１閾値を第１所定時間継続して越えた場合に、前記検出感度を低下させる共に、
前記音声信号の信号レベルが前記第１閾値よりも低い第２閾値を第２所定時間継続して下回った場合に、前記検出感度を向上させる
ことを特徴とする音響装置。
【請求項２】
前記検出感度調整手段は、前記音声信号の信号レベルが前記第２閾値よりも低く、なおかつ、無信号レベルよりも大きい第３閾値の範囲内であれば、前記検出感度を向上させる
ことを特徴とする請求項１に記載の音響装置。
【請求項３】
入力信号の信号レベルを検出するレベル検出手段と、
前記レベル検出手段による信号レベルの検出感度を可変する検出感度調整手段と、
前記レベル検出手段によって検出された信号レベルに応じてメータ表示する表示手段とを備え、
前記検出感度調整手段は、
前記入力信号の信号レベルが第１閾値を第１所定時間継続して越えた場合に、前記検出感度を低下させる共に、
前記入力信号の信号レベルが前記第１閾値よりも低い第２閾値を第２所定時間継続して下回った場合に、前記検出感度を向上させる
ことを特徴とするレベルメータ表示装置。
【請求項４】
前記検出感度調整手段は、前記入力信号の信号レベルが前記第２閾値よりも低く、なおかつ、無信号レベルよりも大きい第３閾値の範囲内である場合に限り、前記検出感度を向上させる
ことを特徴とする請求項３に記載のレベルメータ表示装置。
【発明の詳細な説明】
【技術分野】
【０００１】
本発明は、音声信号レベルを表示する機能を有した音響装置、及び、入力信号レベルを表示するレベルメータ表示装置に関する。
【背景技術】
【０００２】
従来から、音響装置として、音声信号（オーディオ信号）レベルを検出し、そのレベルをレベルメータに表示する音響装置が広く知られている（例えば、特許文献１参照）。かかる音響装置におていは、レベルメータの表示値と、音声信号レベルとが一対一に固定的に対応付けられている。
【特許文献１】特開平１０−２２２９６９号公報
【発明の開示】
【発明が解決しようとする課題】
【０００３】
しかしながら、上記従来の技術においては、音声信号レベルが低い状態が続く場合には、レベルメータがほとんど表示していない状態が続き、これとは逆に、音声信号レベルが高い状態が続く場合には、レベルメータが振り切れた状態が続く事があり、レベルメータが本来の機能を発揮せず、当該レベルメータが無意味なものと化してしまう。
【０００４】
本発明は、上述した事情に鑑みてなされたものであり、信号レベルの大小にかかわらず、当該信号レベルを適切に表示することの可能な音響装置及びレベルメータ表示装置を提供することを目的とする。
【課題を解決するための手段】
【０００５】
上記目的を達成するために、本発明は、音声信号に対して音響処理を行う音響装置において、前記音声信号の信号レベルを検出するレベル検出手段と、前記レベル検出手段による信号レベルの検出感度を可変する検出感度調整手段と、前記レベル検出手段によって検出された信号レベルに応じてメータ表示する表示手段とを備え、前記検出感度調整手段は、前記音声信号の信号レベルが第１閾値を第１所定時間継続して越えた場合に、前記検出感度を低下させる共に、前記音声信号の信号レベルが前記第１閾値よりも低い第２閾値を第２所定時間継続して下回った場合に、前記検出感度を向上させることを特徴とする。
【０００６】
また本発明は、上記発明において、前記検出感度調整手段は、前記音声信号の信号レベルが前記第２閾値よりも低く、なおかつ、無信号レベルよりも大きい第３閾値の範囲内であれば、前記検出感度を向上させることを特徴とする。
【０００７】
また本発明は、入力信号の信号レベルを検出するレベル検出手段と、前記レベル検出手段による信号レベルの検出感度を可変する検出感度調整手段と、前記レベル検出手段によって検出された信号レベルに応じてメータ表示する表示手段とを備え、前記検出感度調整手段は、前記入力信号の信号レベルが第１閾値を第１所定時間継続して越えた場合に、前記検出感度を低下させる共に、前記入力信号の信号レベルが前記第１閾値よりも低い第２閾値を第２所定時間継続して下回った場合に、前記検出感度を向上させることを特徴とする。
【０００８】
また本発明は、上記発明において、前記検出感度調整手段は、前記入力信号の信号レベルが前記第２閾値よりも低く、なおかつ、無信号レベルよりも大きい第３閾値の範囲内である場合に限り、前記検出感度を向上させることを特徴とする。
【発明の効果】
【０００９】
本発明によれば、信号レベルの大小にかかわらず、当該信号レベルを適切に表示することことが可能となる。
【発明を実施するための最良の形態】
【００１０】
以下図面を参照して本発明の実施の形態について説明する。
【００１１】
図１は、アンプ等の音響装置に搭載され、当該音響装置が音響処理を施す音声信号の信号レベルを表示するレベルメータ表示装置１の機能的構成を示すブロック図である。
【００１２】
図１に示すように、レベルメータ表示装置１は、大別して、マイコン１０と、表示部１１と、操作部１２とを備えている。マイコン１０は、当該レベルメータ表示装置１の各部を制御する制御手段として機能するものである。表示部１１は、例えば液晶パネルを備え、上記音声信号レベルを示すレベルメータ１３を表示するものである。操作部１２は、複数の操作キーを備え、ユーザの操作入力を受け付けるものである。
【００１３】
図２は、表示部１１に表示されるレベルメータ１３の一例を模式的に示す図である。この図に示すように、レベルメータ１３は、バーグラフ形式に信号レベルを表示するものであり、そのレベルが大きいほど、多くのバーが点灯表示される。本実施の形態では、レベルメータ１３には、点灯表示されるバーが４５個設けられ、信号レベルを４５段階でメータ表示する。
【００１４】
このレベルメータ１３の表示は、上記マイコン１０により制御される。詳述すると、図１に示すように、マイコン１０には、デジタル信号に変換された上記音声信号が入力信号として入力され、マイコン１０が、その信号レベルを検出し、検出レベルに応じたメータ表示を上記表示部１１に行わせる。
【００１５】
ここで、マイコン１０は、音声信号の信号レベルを検出する際に、上記レベルメータ１３の表示状態に応じて検出感度を可変させている。具体的には、マイコン１０は、レベルメータ１３の表示において、バーが殆ど点灯されない表示状態が続くとき、或いは、ほとんどのバーが点灯され、メータが振り切れるような表示状態が続くときには、これらの表示状態を回避し、メータ表示が適切になされるように、検出感度を調整している。
【００１６】
以下、この検出感度調整処理について図３を参照しつつ、より詳細に説明する。なお、この検出感度調整処理は、当該レベルメータ表示装置１に音声信号が入力されている間、マイコン１０により間欠的に実行されるものである。
【００１７】
図３に示すように、マイコン１０は、先ず、操作部１２が備える操作キーのうち、”ＳＥＮＳＥ  ＡＵＴＯ”キーが押下されたか否か、すなわち検出感度の調整を自動で行うか否かを判別し（ステップＳ１）、”ＳＥＮＳＥ  ＡＵＴＯ”キーが押下されていない場合には（ステップＳ１：ＮＯ）、検出感度の自動調整を行わず、音声信号レベルの検出感度として、予め設定されているプリセット値を用いて、上記音声信号レベルを検出する。
【００１８】
一方、”ＳＥＮＳＥ  ＡＵＴＯ”キーが押下された場合には（ステップＳ１：ＹＥＳ）、表示部１１に表示されたレベルメータ１３の表示状態をチェックして、当該レベルメータ１３の表示レベルが１／４５（バー点灯が１つ：第３閾値）乃至７／４５（バー点灯が７つ：第２閾値）の範囲内、すなわちメータ表示が小さい値を示す範囲内であるか否かを判別する（ステップＳ３）。表示レベルが、この範囲であれば、マイコン１０は、メータ表示が小さい値を示す表示状態の継続時間をカウントすべく、内蔵タイマーをスタートさせ（ステップＳ４）、２秒（第２所定時間）経過したか否かを判別し（ステップＳ５）、経過していない場合にはステップＳ３からステップＳ５までの処理を繰り返し行う。
【００１９】
ステップＳ５において２秒経過した場合には、マイコン１０は、タイマーをリセットさせ（ステップＳ６）、検出感度をアップする（ステップＳ７）。これにより、メータ表示が小さい値を示す表示状態が２秒間継続した場合には、検出感度がアップするため、検出される信号レベルが増大し、結果として、実際の音声信号が小さくとも、レベルメータ１３には大きいレベルで表示されることとなる。
【００２０】
ここで、本実施の形態では、レベルメータ１３のレベル表示状態が小さい値範囲の下限値として、無信号レベル（表示レベルが０／４５）を含めない構成としている。これは、例えば、音声信号がＣＤ（Compact Disc）やＭＤ（MiniDisc）（登録商標）等の記録媒体の場合に、曲と曲と間のブランク（音声信号がゼロレベルの場合）時に、検出感度がアップしてしまい、次の曲の再生開始時に、レベルメータ１３の表示が振り切れてしまうのを防止するためである。
【００２１】
さて、ステップＳ３において、レベルメータ１３の表示レベルが、１／４５（バー点灯が１個）乃至７／４５（バー点灯が７個）の範囲外であれば、マイコン１０は、内蔵タイマーをリセットさせ（ステップＳ８）、表示レベルが、３７／４５（バー点灯が３７個：第１閾値）以上、すなわちメータ表示が大きい値を示す範囲であるか否かを判別する（ステップＳ９）。表示レベルが、３７／４５（バー点灯が３７個）以上でない場合には、マイコン１０は、内蔵タイマーをリセットさせ（ステップＳ１０）、処理を終了する。また、表示レベルが、３７／４５（バー点灯が３７個）以上であれば、マイコン１０は、メータ表示が大きい値を示す表示状態の持続時間をカウントすべく、タイマーをスタートさせる（ステップＳ１１）。そしてマイコン１０は、２秒（第１所定時間）経過したか否かを判別し（ステップＳ１２）、経過していない場合には、ステップＳ９からステップＳ１２までの処理を繰り返し行う。２秒経過した場合には、マイコン１０は、タイマーをリセットさせ（ステップＳ１３）、検出感度をダウンする（ステップＳ１４）。これにより、メータ表示が大きい値を示す表示状態が２秒間継続した場合には、検出感度がダウンするため、検出される信号レベルが小さくなり、結果として、実際の音声信号が大きくとも、レベルメータ１３には、それよりも小さいレベルで表示されることとなる。
【００２２】
このように、本実施の形態では、マイコン１０は、表示部１１のレベルメータ１３の表示状態を判定して、音声信号レベルの検出感度を自動的に調整する。これにより、実際の音声信号レベルが低い状態が続く場合、或いは、実際の音声信号レベルが高い状態が続く場合であっても、レベルメータ１３が殆ど表示されない状態、或いは、レベルメータ１３が振り切れた状態となる、といった事態が防止され、音声信号レベルの大小にかかわらず、信号レベルをレベルメータに適切に表示することが可能となる。
【００２３】
また、本実施の形態では、検出感度の調整が自動的に行われる構成としたため、例えばユーザが現在現れている表示に対して、その表示を見ながら、その都度、検出感度を調整するといった操作をする必要がない。
【００２４】
また、本実施の形態によれば、メータ表示が大或いは小の値を示す表示状態が一定時間継続した場合に、上記検出感度を調整する構成としている。これにより、瞬間的に音声信号レベルが大或いは小となるような場合に検出感度が変更されてしまい、次の瞬間における音声信号レベル表示が不適切になるといったことが防止される。
【００２５】
さらに、本実施の形態によれば、レベルメータ１３のレベル表示状態が小さい値範囲の下限値として、無信号レベルを含めない構成としたため、例えば、複数の曲を連続して再生している場合に、曲と曲と間のブランク（音声信号がゼロレベルの場合）時に検出感度がアップしてしまい、次の曲の再生開始時に、レベルメータ１３の表示が振り切れてしまうといった事が防止される。
【００２６】
なお、上述した実施の形態は、あくまでも本発明の一態様を示すものであり、本発明の範囲内で任意に変形及び応用が可能であることは勿論である。
【図面の簡単な説明】
【００２７】
【図１】本発明の実施の形態にかかるレベルメータ表示装置の機能的構成を示すブロック図である。
【図２】レベルメータの一例を示す図である。
【図３】検出感度調整処理を示すフローチャートである。
【符号の説明】
【００２８】
１  レベルメータ表示装置
１０  マイコン
１１  表示部
１２  操作部
１３  レベルメータ
【図１】
2005243055.tif 000003
【図２】
2005243055.tif 000004
【図３】
2005243055.tif 000005